(57)【特許請求の範囲】
【請求項１】
所定の最大通信容量を有するテキストメッセージをサービスチャネルとは異なるチャネルを介して送受信する移動通信網に接続され、当該移動通信網の移動通信端末を遠隔監視制御する遠隔監視制御装置であって、
前記移動通信端末において実施されるべき制御コマンドを有する制御コマンド文を生成するコマンド生成手段と、
前記生成された制御コマンド文が前記テキストメッセージの最大送信容量よりも大きいかどうかを判定し、大きい場合には前記生成された制御コマンド文を、各々が前記制御コマンドを含む前記最大送信容量以下の情報量の複数の制御コマンド文に分割し、当該分割された複数の制御コマンド文の各々を前記テキストメッセージとするコマンド／テキストメッセージ変換手段と、
前記分割された制御コマンド文を含む複数のテキストメッセージを前記移動通信端末に対して送信する送信制御手段と、
前記移動通信端末において実行された前記分割された制御コマンド文の実行結果を含む応答結果テキストメッセージを当該移動通信端末から受信する応答結果テキストメッセージ受信手段と
を備えたことを特徴とする遠隔監視制御装置。
【請求項２】
前記送信制御手段は、前記分割された制御コマンド文を含む複数のテキストメッセージのうち１つを前記移動通信端末に送信し、送信した前記１つのテキストメッセージに対応する前記応答結果テキストメッセージを前記移動通信端末から受信した後に、前記複数のテキストメッセージのうち他の１つを前記移動通信端末に送信することを繰り返すことにより、前記複数のテキストメッセージをシーケンシャル送信することを特徴とする請求項１に記載の遠隔監視制御装置。
【請求項３】
前記所定の最大通信容量を有するテキストメッセージは、前記移動通信網において使用されるショートメッセージサービスにおけるメッセージであり、前記制御コマンドは逐次実行型コマンドであることを特徴とする請求項１に記載の遠隔監視制御装置。
【請求項４】
前記制御コマンド文は、前記移動通信端末の記憶手段に格納された移動通信端末関連情報を読み出す命令であることを特徴とする請求項１に記載の遠隔監視制御装置。
【請求項５】
前記応答結果テキストメッセージは、前記移動通信端末の記憶手段に格納された移動通信端末関連情報であることを特徴とする請求項１に記載の遠隔監視制御装置。
【発明の詳細な説明】
【技術分野】
【０００１】
本発明は、移動通信網の移動通信端末に対する遠隔監視制御システムに関するものである。
【背景技術】
【０００２】
通信技術および情報処理技術の発展に伴い、通信網に接続された複数の情報通信機器が相互作用することで特定目的のアプリケーションを実行するネットワークコンピューティングが実現されている。
【０００３】
ネットワークコンピューティングの一例として、遠隔地に設置された装置と当該装置を制御する制御装置とを通信網で接続した監視制御システムが知られている。より具体的には、既存の遠隔制御システムとして、制御の対象である装置に移動通信網を経由して電子メールを受信する機能を有する端末装置を接続し、移動通信端末等の遠隔制御装置から制御の対象である装置へ電子メールを用いて制御用のコマンドを送信することで制御の対象である装置を制御する遠隔制御システムが知られている（例えば、特許文献１参照）。
【０００４】
ネットワークコンピューティングの他の一例として、移動通信網内の移動通信端末同士でテキストベースのメッセージを送受信することができるメールショートメッセージサービス（ＳＭＳ：Short Message Service）を用いて、遠隔制御装置が制御対象である移動通信端末へ制御用のコマンドを送信することで当該移動通信端末を制御する遠隔制御システムが知られている（例えば、特許文献２参照）。
【０００５】
【特許文献１】特開２００３−４４４１６号公報（第５〜７頁、第１図）
【特許文献２】特開２００２−７７３７２号公報
【発明の開示】
【発明が解決しようとする課題】
【０００６】
しかしながら、上記従来の遠隔制御システムは、以下に示すような問題点があった。すなわち、上記従来の電子メールを用いる遠隔制御システムは、制御の対象である装置に接続された端末と遠隔制御装置との間で移動通信網によって提供されるデータ通信サービスまたは音声通信サービスを利用して電子メールを送受信するため、音声通信サービスやデータ通信サービスの提供を妨げることなく監視制御することができないという問題があった。特に近年は常時接続によるサービス提供形態が増加しているため、この問題は顕在化していた。さらに、移動通信端末を監視対象とした場合には、図１に示すように移動通信端末１６に監視制御端末１８を直接接続してＡＴコマンドなどの制御コマンドを入力して制御する必要があった。例えば、利用者が常時携帯しないユビキタスモジュール（例として自販機などの装置に通信手段として固定設置された移動通信端末）に対して故障有無判断や設定情報の参照／設定などの制御を行う場合、必ず保守者が監視制御端末をもってユビキタスモジュールの設置場所へ駆け付ける必要があった。さらに、固定設置のユビキタスモジュールの場合、周辺環境の変化（付近にビルが建設される、大型車の駐車など）により、一時的に通信に著しい悪影響を及ぼす無線環境の劣化が発生することがあるが、この場合、原因を究明するために長期間、昼夜問わず自販機などの装置の通信手段として提供されるべき音声通信サービスやデータ通信サービスを停止させ、代わりに移動通信端末における無線受信強度を監視するための通信手段として使用しなければならないという問題があった。
【０００７】
また、上記従来のＳＭＳを用いた遠隔制御システムにおいては、１つのＳＭＳで送信できる情報量（ＳＭＳ送信容量）が限られているため、送受信すべき制御コマンドあるいは当該制御コマンドの実行結果の情報量がＳＭＳ送信容量よりも多くなるとが１つのＳＭＳで送信することができなくなるという問題があった。
【０００８】
本発明は、このような問題に鑑みてなされたもので、その目的とするところは、移動通信網において音声通信サービスやデータ通信サービスの提供を妨げることなく移動通信端末を遠隔監視制御するための遠隔監視制御装置、移動通信端末および方法を提供することにある。また、移動通信端末に監視制御端末を接続することなく移動通信端末を遠隔監視制御するための遠隔監視制御装置、移動通信端末および方法を提供することにある。また、送受信すべき制御コマンドあるいは当該制御コマンドの実行結果の情報量が１つのＳＭＳにおけるＳＭＳ送信容量よりも多くなった場合でも、制御コマンドあるいは当該制御コマンドの実行結果を送受信できる遠隔監視制御装置、移動通信端末および方法を提供することにある。
【課題を解決するための手段】
【０００９】
本発明は、このような目的を達成するために、本発明に係る遠隔監視制御装置および移動通信端末は、移動通信網において音声通信サービスやデータ通信サービスなどのサービスを提供するためのサービスチャネルとは異なるチャネルを介して送受信される所定の最大通信容量を有するテキストメッセージとして制御コマンドあるいは当該制御コマンドの実行結果の情報を送受信する手段を備える。これにより、移動通信網における移動通信端末の音声通信やメール送受信などのデータ通信を切断することなく遠隔監視制御が可能となる。
【００１０】
また、本発明に係る遠隔監視制御装置および移動通信端末は、コマンドと当該コマンドに付随するパラメータとからなる制御コマンドおよび当該制御コマンドの実行結果の情報量が１つのテキストメッセージの最大送信容量よりも多くなった場合に、当該制御コマンドおよび当該制御コマンドの実行結果の情報を複数の制御コマンドに分割して各々を１つのテキストメッセージに分配してシーケンシャルに送受信するための手段を備える。これにより、バーストトラヒックの発生を回避しながら多量の監視制御のための情報を送受信することが可能となる。
【００１１】
一実施形態では、移動通信網はＩＭＴ−２０００網とすることができ、テキストメッセージはＩＭＴ−２０００網で使用可能なＳＭＳにおける制御用ＳＭＳのメッセージとすることができる。
【００１２】
また、一実施形態では、制御コマンドは逐次実行されるコマンド（逐次実行型コマンド）とすることができる。例えば、制御コマンドをＡＴコマンドとして構成することにより、移動通信端末の既存ＩＦを利用した遠隔監視制御が可能となる。
【発明の効果】
【００１３】
本発明の遠隔監視制御システム及び移動通信端末は、移動通信網において音声通信サービスやデータ通信サービスなどのサービスを提供するためのサービスチャネルとは異なるチャネルを介して送受信される所定の最大通信容量を有するテキストメッセージとして制御コマンドあるいは当該制御コマンドの実行結果の情報を送受信するという構成により、移動通信網における移動通信端末の音声通信やメール送受信などのデータ通信を切断することなく遠隔監視制御が可能となる。また、移動通信端末に監視制御装置を接続することなく、遠隔監視制御が可能となる。また、送受信すべき制御コマンドあるいは当該制御コマンドの実行結果の情報量が１つのテキストメッセージの最大通信容量よりも多くなった場合でも、遠隔監視制御が可能となる。
【発明を実施するための最良の形態】
【００１４】
以下、図面を参照しながら本発明の実施形態について詳細に説明する。
【００１５】
図２は、本実施形態に係る遠隔監視制御装置２００と移動通信端末３００とがＩＭＴ−２０００網１４を介して相互に接続された遠隔監視制御システムの概略構成図である。
【００１６】
遠隔監視制御装置２００と監視制御の対象である移動通信端末３００は、ＩＭＴ−２０００網１４を介して、制御コマンドあるいは当該制御コマンドの実行結果の情報を制御用のＳＭＳ（以下、単に制御用ＳＭＳという。）に格納して送受信する。制御用ＳＭＳは、ＳＭＳフォーマットのヘッダ内のＴＰ−ＵＤＨＩ（Transfer Protocol-User Data Header Indicator）の値を設定することによって別の用途に用いられるＳＭＳと識別可能となるもので、移動通信端末３００によって受信され特殊な種別のＳＭＳであると識別されるものである。
【００１７】
ＩＭＴ−２０００網１４は、ＳＭＳの送受信を制御するＳＭＳセンター（ＳＭＳＣ）と、交換機２４と、無線送受信機２６とを備える。ＳＭＳは、ＩＭＴ−２０００網において音声通信サービスやデータ通信サービスなどのサービスを提供するためのサービスチャネルとは異なるチャネルを介して送受信される。
【００１８】
図３は、本実施形態にかかる遠隔監視制御装置２００および移動通信端末３００のブロック図である。  
本実施形態にかかる遠隔監視制御装置２００は、移動通信端末３００を監視・制御するための制御コマンド文であるＡＴコマンド文を生成するＡＴコマンド生成部２０２と、ＡＴコマンド解析部２０４と、生成されたＡＴコマンド文をＳＭＳに格納に適したＡＴコマンド文へ変換するＡＴコマンド／ＳＭＳ変換部２０６と、ＡＴコマンド／ＳＭＳ変換部２０６により変換されたＡＴコマンド文を用いてＳＭＳを生成するＳＭＳ生成部２０８と、生成されたＳＭＳを送信するＳＭＳ送信制御部２１０と、移動通信端末から制御応答結果（ＡＴコマンドの実行結果）の情報を格納したＳＭＳを受信するＳＭＳ受信部２１２と、受信した制御応答結果の情報を格納したＳＭＳを処理するＳＭＳ応答結果処理部（図示しない）と、受信した制御応答結果の情報を保持する応答結果保持部２１４と、受信した制御応答結果の情報を表示等して出力する応答結果出力部２１６とを備える。
【００１９】
ＳＭＳ送信制御部２１０は、分割送信による複数ＳＭＳ送信に伴うバーストトラヒックを回避するようにＳＭＳの送信を制御する。
【００２０】
ＳＭＳ送信制御部２１０およびＭＳ受信部２１２はそれぞれ、ＩＭＴ−２０００網１４に備えられたＳＭＳセンター（ＳＭＳＣ）２２との間でＳＭＳを送受信する。
【００２１】
本実施形態にかかる移動通信端末３００は、ＩＭＴ−２０００網１４を介して遠隔監視制御装置２００から送信されたＡＴコマンドを格納したＳＭＳを受信するＳＭＳ受信部３０２と、受信したＳＭＳを解析するＳＭＳ解析部３０４と、受信したＳＭＳ内のＡＴコマンドを解析するＡＴコマンド解析部３０６と、解析したＡＴコマンドを実行するＡＴコマンド実行部３０８と、ＡＴコマンドの実行結果をＳＭＳへ変換するための変換部３１０と、ＡＴコマンドの実行結果から変換されたＳＭＳを変換遠隔監視制御装置へ通知するためのＳＭＳ応答部とを備える。
【００２２】
本実施形態では、ＳＭＳ受信部３０２およびＳＭＳ応答部は、ＩＭＴ−２０００網１４に備えられた無線送受信機２６を介してＳＭＳを送受信する機能を有する一つのブロックとして示しているが、それぞれを独立したブロックとして構成することができることは言うまでもない。
【００２３】
次に、本実施形態にかかる遠隔監視制御装置２００と移動通信端末３００の動作について説明する。  
図４は、本実施形態にかかる遠隔監視制御装置２００および移動通信端末３００を含む遠隔監視制御システムの動作を示すシーケンス図である。
【００２４】
本実施形態にかかる遠隔監視制御装置２００を動作させるにあたっては、オペレータは、まず、移動通信端末３００に対して実施したい監視・制御を識別するコマンド選択情報および移動通信端末３００の電話番号を入力部から入力する。すなわち、遠隔監視制御装置２００のＡＴコマンド生成部２０２は、コマンド選択情報と監視制御対象である移動通信端末３００の電話番号を含む移動通信端末監視制御要求を受信し、メモリなどの記憶手段に格納する（ステップ４００）。
【００２５】
次いで、ＡＴコマンド解析部２０４は、コマンド選択情報を解析する（ステップ４０４）。より詳細には、ＡＴコマンド解析部２０４は、コマンド選択情報を解釈して対応するＡＴコマンドと当該ＡＴコマンドに付随するパラメータとを出力する。
【００２６】
ＡＴコマンド生成部４０２は、ＡＴコマンド解析部２０４の解析結果であるＡＴコマンドと当該ＡＴコマンドに付随するパラメータを用いて、適切なＡＴコマンド文を生成する（ステップ４０６）。
【００２７】
次いで、ＳＭＳ変換部２０６は、ＳＭＳ生成部２０２で生成されたＡＴコマンド文を移動通信端末への送信を可能とするＳＭＳのフォーマットに変換して（ステップ４０８）、これを送信するＳＭＳ送信制御部２１０へ渡す。より詳細には、ＳＭＳ変換部２０６は、ＳＭＳ生成部２０２で生成されたＡＴコマンド文の情報量がＳＭＳの最大送信容量より大きいかどうかを判定し、大きい場合にはＡＴコマンド文を最大送信容量以下の情報量の複数にＡＴコマンド文に分割する（ステップ４１０）。例えば、ＡＴコマンド文が、移動通信端末３００に設けられた複数のメモリ領域に対する読み出しあるいは書き込みを実行するＡＴコマンドとメモリ領域の位置を指定する複数のパラメータ（パラメータ１，２，・・・）がある場合には、パラメータを分割することにより、ＡＴコマンドと分割されたパラメータとからなるより情報量の少ない複数の分割されたＡＴコマンド文（ＡＴコマンドとパラメータ１からなるコマンド文１、ＡＴコマンドとパラメータ２からなるコマンド文２、・・・）とする。
【００２８】
また、ＳＭＳ変換部２０６は、移動通信端末監視制御要求に含まれた移動通信端末３００の電話番号をＳＭＳフォーマットのヘッダの送信先として設定し、さらに移動通信端末間でテキスト情報を送受信するためのＳＭＳと区別するために、制御用ＳＭＳに設定する。
【００２９】
ＳＭＳ送信制御部２１０は、各々が分割されたＡＴコマンド文を含む複数のＳＭＳを一斉に送信することのないように、ＳＭＳをシーケンシャルに送信する（ステップ４１２，４１４）。すなわち、ＳＭＳ送信制御部２１０は、ＳＭＳを一つ送信し、移動通信端末３００から当該ＳＭＳに対する応答を受信した（ステップ４３４）後に、次のＳＭＳを一つ送信する。
【００３０】
ＩＭＴ−２０００網は、遠隔監視制御装置２００から送信されたＳＭＳを移動通信端末３００へ中継する（ステップ４１６）。
【００３１】
移動通信端末３００のＳＭＳ受信部３０２は、ＳＭＳを受信し、メモリなどの記憶手段に格納する（ステップ４１８）。
【００３２】
また、ＳＭＳ解析部３０４は、受信したＳＭＳの内容を解析する（ステップ４２０）。より詳細には、ＳＭＳ解析部３０４は、受信したＳＭＳにＡＴコマンド文が含まれているかどうかを判定し、さらに、ＡＴコマンド文が含まれている場合、遠隔監視制御装置２００において入力されたＡＴコマンド文を解析し、解析から得られたＡＴコマンドを実行するために付随するパラメータとともに、ＡＴコマンド実行部３０８へ解析結果を渡す。受信したＳＭＳにＡＴコマンド文が含まれていない場合には、ＳＭＳ応答部３０２は、遠隔監視制御装置２００へＳＭＳを受信した旨を示すＳＭＳ応答信号を送信する（ステップ４３２）。
【００３３】
ＳＭＳ解析部３０４の解析の結果、ＡＴコマンド文が含まれていた場合、ＡＴコマンド実行部３０８は、ＡＴコマンド文にしたがって処理を実行し、実行結果を出力する（ステップ４２６）。例えば、ＡＴコマンドが移動通信端末３００に設けられたメモリ領域に格納された電波受信レベルまたは通信品質の情報、移動通信端末の設定情報、移動通信端末の変更履歴の情報、あるいは移動通信端末自身によるヘルスチェック結果の情報などの情報（以下、移動通信端末関連情報という。）を読み出す命令であった場合、当該ＡＴコマンドに付随するパラメータによって識別されるメモリの位置に格納された情報を読み出し実行結果として返すことができる。
【００３４】
ＳＭＳ変換部３１０は、ＡＴコマンド実行部３０８において出力された実行結果をＳＭＳ化（ＳＭＳフォーマットに変換し）、ＳＭＳ応答部３０２へ渡す（ステップ４２８）。より詳細には、ＳＭＳ変換部３１０は、遠隔監視制御装置２００のＳＭＳ変換部２０６と同様に、ＡＴコマンド実行部３０８から返された実行結果の情報量がＳＭＳの最大送信容量より大きいかどうかを判定し、大きい場合には実行結果を複数に分割する（ステップ４２８）。
【００３５】
ＳＭＳ応答部３０２は、ＳＭＳフォーマットに変換された実行結果をＳＭＳ応答信号へ格納するとともに、分割された実行結果をそれぞれ格納した各ＳＭＳのヘッダにはシーケンス番号あるいは最後のＳＭＳであることを示すフラグを付与する（ステップ４３０）。これにより、遠隔監視制御装置２００は、送信した制御コマンドの実行結果のすべての情報を移動通信端末３００から受信したどうかを判定することができる。あるいは、遠隔監視制御装置２００は、送信した制御コマンドの実行結果のすべてを受信するために受信すべきＳＭＳの数を予め記憶手段などに格納しておき、制御コマンドを送信した後に移動通信端末３００から受信したＳＭＳの数を計数することで制御コマンドの実行結果のすべてを受信したかどうかを判定するように構成してもよい。次いでＳＭＳ応答部３０２は、ＳＭＳ化された実行結果をＳＭＳ応答信号として遠隔監視制御装置２００へ送信する（ステップ、４３２）。
【００３６】
ＩＭＴ−２０００網は、移動通信端末３００から送信されたＳＭＳ応答信号を遠隔監視制御装置２００へ中継する（ステップ４３４）。
【００３７】
遠隔監視制御装置２００のＳＭＳ受信部２１２は、移動通信端末３００から送信されたＳＭＳ応答信号を受信する（ステップ４３４）。より詳細には、ＳＭＳ受信部２１２は、制御コマンドの実行結果のすべてを受信したかどうかを判定し、最後のＳＭＳを受信するまで受信したＳＭＳを一次記憶する。
【００３８】
さらに、ＳＭＳ受信部２１２は、最後のＳＭＳを受信した後、ＳＭＳ送信制御部２１０がＳＭＳをシーケンシャルに送信するシーケンシャル送信中であり、且つ送信すべき制御コマンドを格納した後続のＳＭＳがあるかどうかを判定する（ステップ４３６）。シーケンシャル送信中であり、且つ送信すべき制御コマンドを格納した後続のＳＭＳがある場合、上記ステップ４１２から４３６を繰り返す。
【００３９】
ＳＭＳ送信制御部２１０が送信すべき制御コマンドを格納した後続のＳＭＳがない場合、ＳＭＳ受信部２１２は、受信したすべてのＳＭＳ応答信号から制御コマンドの実行結果を受信（抽出）し（ステップ４３８）、応答結果保持部が抽出された制御コマンドの実行結果をシステム内のデータベース（ＤＢ）に保持（蓄積）して（ステップ４４０）、応答結果出力部２１６が、保持されたＡＴコマンドの実行結果を視覚的に確認できるように表示する（ステップ４４２）。
【００４０】
以上説明したように、本実施形態の遠隔監視制御システムによれば、ＩＭＴ−２０００網において音声通信やメール送受信などのデータ通信を切断することなく遠隔監視制御が可能となる。また非常時形態のユビキタスモジュールにおいては、通信障害や移動通信端末の設定値変更、周辺無線環境の調査などにおいて、これまで現地対応が必須であった作業の多く、具体的には故障有無判断や設定情報の参照／設定や無線環境ログデータ蓄積／収集などを遠隔にて制御可能となる。さらに、送受信すべき制御コマンドあるいは当該制御コマンドの実行結果の情報量が１つのＳＭＳの最大送信容量よりも多くなった場合でも、バーストトラヒックの発生を回避しながら、制御コマンドあるいは当該制御コマンドの実行結果を送受信できる。
【図面の簡単な説明】
【００４１】
【図１】従来の遠隔監視制御システムの概略構成を説明するための図である。
【図２】本発明の一実施形態に係る遠隔監視制御装置と移動通信端末が移動通信網を介して相互に接続された遠隔監視制御システムの概略構成を示す図である。
【図３】本発明の一実施形態にかかる遠隔監視制御装置および移動通信端末の機能ブロックを示す図である。
【図４】本発明の一実施形態に係る遠隔監視制御装置と移動通信端末が移動通信網を相互に接続された遠隔監視制御システムにおける処理シーケンスを示す図である。
【符号の説明】
【００４２】
１４  移動通信網、ＩＭＴ−２０００網
２００  遠隔監視制御装置
３００  移動通信端末
【図１】
0004956373.tif 000002
【図２】
0004956373.tif 000003
【図３】
0004956373.tif 000004
【図４】
0004956373.tif 000005